(57)【要約】【課題】本発明は、平面光源を提供して、均一で高輝度な面光源を実現すること。【解決手段】第１プラズマ平面ランプと、前記第１プラズマ平面ランプ上に配置された第２プラズマ平面ランプと、前記第１プラズマ平面ランプと前記第２プラズマ平面ランプとにそれぞれ配置された複数の明領域及び複数の暗領域とを備え、前記複数の明領域及び複数の暗領域の位置配置により、前記第１プラズマ平面ランプの前記複数の明領域から放出する光線が前記第２プラズマ平面ランプの前記複数の暗領域を透過し得る。【選択図】図２Ａ
2007220643.tif 000002
【特許請求の範囲】
【請求項１】
第１プラズマ平面ランプと、
前記第１プラズマ平面ランプ上に配置された第２プラズマ平面ランプと、
前記第１プラズマ平面ランプと前記第２プラズマ平面ランプとにそれぞれ配置された複数の明領域及び複数の暗領域とを備え、
前記複数の明領域及び複数の暗領域の位置配置により、前記第１プラズマ平面ランプの前記複数の明領域から放出する光線が前記第２プラズマ平面ランプの前記複数の暗領域を透過し得ることを特徴とする平面光源。
【請求項２】
前記第１プラズマ平面ランプの複数の明領域の位置と前記第２プラズマ平面ランプの複数の暗領域の位置とが重なり合うことを特徴とする請求項１に記載の平面光源。
【請求項３】
前記複数の明領域及び前記複数の暗領域の形状が三角形であることを特徴とする請求項１に記載の平面光源。
【請求項４】
前記複数の明領域及び前記複数の暗領域の形状が矩形であることを特徴とする請求項１に記載の平面光源。
【請求項５】
前記第１プラズマ平面ランプと前記第２プラズマ平面ランプとはそれぞれ
第１基板と、
複数前記第１基板に配置された複数の電極セットと、
前記第１基板の上方に配置された第２基板と、
前記第２基板及びと前記第１基板との間に配置され、前記第１基板と前記第２基板と一つの放電ガスを充填する放電チャンバーを区画するフレームと、
複数前記第２基板及びと前記第１基板との間に配置され、前記第２基板と前記第１基板とを隔離するる複数のスペーサーと、
前記第１基板及び前記第２基板の複数の明領域に対応する位置上に設けられる蛍光パウダーと
を備えることを特徴とする請求項１に記載の平面光源。
【請求項６】
前記第１プラズマ平面ランプの前記第２基板は更に前記第２プラズマ平面ランプの前記第１基板となることを特徴とする請求項５に記載の平面光源。
【請求項７】
前記蛍光パウダーは更に前記第１基板及び前記第２基板の複数の暗領域に対応する位置上に設けられることを特徴とする請求項５に記載の平面光源。
【請求項８】
前記複数のスペーサーは前記複数の電極セットを隔離することを特徴とする請求項５に記載の平面光源。
【請求項９】
前記複数のスペーサーの形状はストリップ状を含むことを特徴とする請求項８に記載の平面光源。
【請求項１０】
前記複数の電極セットはそれぞれ
複数の第１放電部を有する第１サブ電極と、
複数の第２放電部を有する第２サブ電極と、
前記第１サブ電極及びと前記第２サブ電極との間に位置する第３サブ電極とを備え、
前記第２サブ電極は前記第１サブ電極に対向し、前記サブ電極は前記第１サブ電極及び前記第２サブ電極と平行に配列されることを特徴とする請求項５に記載の平面光源。
【請求項１１】
前記複数の電極セットの前記第３サブ電極はそれぞれ複数の第３放電部を備え、前記第１サブ電極ならびに前記第２サブ電極にそれぞれ対向することを特徴とする請求項１０に記載の平面光源。
【請求項１２】
前記複数の電極セットは更に、前記第３サブ電極と前記第２サブ電極との間に位置し、前記第１サブ電極と前記第２サブ電極と前記第３サブ電極と平行に配列される第４サブ電極を備えることを特徴とする請求項１０に記載の平面光源。
【請求項１３】
複数それぞれ複数の第３放電部を有する前記複数の電極セットの前記第３サブ電極と複数それぞれ複数の第４放電部を有する前記複数の電極セットの前記第４サブ電極とは、それぞれ前記第１サブ電極と前記第２サブ電極とに対向することを特徴とする請求項１２に記載の平面光源。
【請求項１４】
前記複数の電極セットはそれぞれ
複数の第１放電部を有する第１サブ電極と、
第２サブ電極と、
第３サブ電極とを備え、
前記第１サブ電極は前記第２サブ電極と前記第３サブ電極との間に位置し、前記複数の第１放電部は前記第２サブ電極及び前記第３サブ電極にそれぞれ対向し、前記第３サブ電極は前記第１サブ電極と前記第２サブ電極とに平行に配列されることを特徴とする請求項５に記載の平面光源。
【請求項１５】
複数それぞれ複数の第２放電部を有する前記複数の電極セットの前記第２サブ電極と複数それぞれ複数の第３放電部を有する前記複数の電極セットの前記第３サブ電極とは、それぞれ前記第１サブ電極に対向することを特徴とする請求項１４に記載の平面光源。
【請求項１６】
前記放電ガスは、キセノン、ネオン、アルゴン及びそれらの組み合わせからいずれか一つ選択されることを特徴とする請求項５に記載の平面光源。
【発明の詳細な説明】
【技術分野】
【０００１】
本発明は、平面光源に関し、特に、プラズマディスプレイ技術を利用した平面光源に関する。
【背景技術】
【０００２】
現在、高画質、優良な空間利用効率、低い消費電力及び無放射性という優れた特性を備えた薄膜トランジスター液晶ディスプレイが既にディスプレイの主流となっている。薄膜トランジスター液晶ディスプレイは、主に液晶表示パネル及びバックライトモジュールから構成される。液晶表示パネルは、通常、薄膜トランジスターアレイ基板、カラーフィルター基板及びこの二つの基板間に配置される液晶層から構成される。さらに、バックライトモジュールはこの液晶表示パネルに必要とする面光源を提供するために用いられる。
【０００３】
従来には、バックライトモジュールに用いられる平面光源は、冷陰極蛍光ランプを線光源とし、更に拡散片または導光板を利用して、均一な平面光源を提供している。最近、プラズマディスプレイ技術を利用する平面光源が新たに開発されている。詳しく言えば、この様な平面光源は、電極対間に高電圧差を印加し、陰極（カソード）及び陽極（アノード）間の放電ガスを解離してプラズマガスとし、プラズマガス中の励起された励起原子が紫外線方式によりエネルギーを放出し、蛍光パウダーを励起して発光させるプラズマ発光素子の一種である。
【０００４】
図１Ａは、従来の平面光源を示す要部断面図であり、図１Ｂは、従来の平面光源を示す要部平面図である。図１Ａ及び図１Ｂにおいて、従来の平面光源１００は、基板１１０と、複数の電極セット１２０と、基板１３０と、フレーム１４０と、複数のスペーサー１５０と、蛍光パウダー１６０とを含んでいる。複数の電極セット１２０は、基板１１０上に配置され、基板１３０が基板１１０上方に配置されている。フレーム１４０が基板１１０及びと基板１３０との間に配置される。基板１１０と基板１３０とフレーム１４０とで１つの放電チャンバーを区画しており、放電チャンバー内に放電ガスを充填している。複数のスペーサー１５０が基板１１０と基板１３０との間に配置され、基板１１０と基板１３０とを隔離している。また、蛍光パウダー１６０が基板１１０及び基板１３０に設けられるとともに、電極セット１２０を被覆している。
【０００５】
詳細に言えば、各電極セット１２０がサブ電極１２２、１２４及び１２６を含み、サブ電極１２２は、複数の放電部１２２ａを備えて、それぞれサブ電極１２４、１２６に対向している。また、サブ電極１２２、１２４、１２６上には、それぞれ誘電層１２０ａにより被覆されている。さらに、全てのサブ電極１２４、１２６が電気的に連結されており、全てのサブ電極１２２も相互に電気的に連結されている。従って、従来の平面光源１００が用いられる時、これらの放電部１２２ａ及び対応するサブ電極１２４、１２６間が放電エリアとなり、放電エリア内の蛍光パウダー１６０が励起されて発光する。すなわち、外観から見ると、従来の平面光源１００には、複数の明領域１００ａならびに複数の暗領域１００ｂがある。そして、これらの明領域１００ａ及び暗領域１００ｂの影響を低減するために、従来の平面光源１００は、通常、拡散片（図示せず）を組み合わせる必要があるが、拡散片は、平面光源１００の輝度を低下させる。従来の平面光源１００の輝度を向上させるために駆動電流を増加させるならば、従来の平面光源１００の寿命はまた短縮されてしまう。
【発明の開示】
【発明が解決しようとする課題】
【０００６】
そこで、本発明の目的は、均一な面光源を実現する平面光源を提供することにある。
【課題を解決するための手段】
【０００７】
上記目的を達成するために、請求項１に記載の発明は、第１プラズマ平面ランプと、前記第１プラズマ平面ランプ上に配置された第２プラズマ平面ランプと、前記第１プラズマ平面ランプと前記第２プラズマ平面ランプとにそれぞれ配置された複数の明領域及び複数の暗領域とを備え、前記複数の明領域及び複数の暗領域の位置配置により、前記第１プラズマ平面ランプの前記複数の明領域から放出する光線が前記第２プラズマ平面ランプの前記複数の暗領域を透過し得ることを特徴とする。
【０００８】
請求項２に記載の発明は、請求項１に記載の発明において、前記第１プラズマ平面ランプの複数の明領域の位置と前記第２プラズマ平面ランプの複数の暗領域の位置とが重なり合うことを特徴とする。
【０００９】
請求項３に記載の発明は、請求項１に記載の発明において、前記複数の明領域及び前記複数の暗領域の形状が三角形であることを特徴とする。
【００１０】
請求項４に記載の発明は、請求項１に記載の発明において、前記複数の明領域及び前記複数の暗領域の形状が矩形であることを特徴とする。
【００１１】
請求項５に記載の発明は、請求項１に記載の発明において、前記第１プラズマ平面ランプと前記第２プラズマ平面ランプとはそれぞれ第１基板と、複数前記第１基板に配置された複数の電極セットと、前記第１基板の上方に配置された第２基板と、前記第２基板及びと前記第１基板との間に配置され、前記第１基板と前記第２基板と一つの放電ガスを充填する放電チャンバーを区画するフレームと、複数前記第２基板及びと前記第１基板との間に配置され、前記第２基板及び前記第１基板を隔離するる複数のスペーサーと、前記第１基板及び前記第２基板の複数の明領域に対応する位置上に設けられる蛍光パウダーとを備えることを特徴とする。
【００１２】
請求項６に記載の発明は、請求項５に記載の発明において、前記第１プラズマ平面ランプの前記第２基板は更に前記第２プラズマ平面ランプの前記第１基板となることを特徴とする。
【００１３】
請求項７に記載の発明は、請求項５に記載の発明において、前記蛍光パウダーは更に前記第１基板及び前記第２基板の複数の暗領域に対応する位置上に設けられることを特徴とする。
【００１４】
請求項８に記載の発明は、請求項５に記載の発明において、前記複数のスペーサーは前記複数の電極セットを隔離することを特徴とする。
【００１５】
請求項９に記載の発明は、請求項８に記載の発明において、前記複数のスペーサーの形状はストリップ状を含むことを特徴とする。
【００１６】
請求項１０に記載の発明は、請求項５に記載の発明において、前記複数の電極セットはそれぞれ複数の第１放電部を有する第１サブ電極と、複数の第２放電部を有する第２サブ電極と、前記第１サブ電極及びと前記第２サブ電極との間に位置する第３サブ電極とを備え、前記第２サブ電極は前記第１サブ電極に対向し、前記サブ電極は前記第１サブ電極及び前記第２サブ電極と平行に配列されることを特徴とする。
【００１７】
請求項１１に記載の発明は、請求項１０に記載の発明において、前記複数の電極セットの前記第３サブ電極はそれぞれ複数の第３放電部を備え、前記第１サブ電極ならびに前記第２サブ電極にそれぞれ対向することを特徴とする。
【００１８】
請求項１２に記載の発明は、請求項１０に記載の発明において、前記複数の電極セットは更に、前記第３サブ電極と前記第２サブ電極との間に位置し、前記第１サブ電極と前記第２サブ電極と前記第３サブ電極と平行に配列される第４サブ電極を備えることを特徴とする。
【００１９】
請求項１３に記載の発明は、請求項１２に記載の発明において、複数それぞれ複数の第３放電部を有する前記複数の電極セットの前記第３サブ電極と複数それぞれ複数の第４放電部を有する前記複数の電極セットの前記第４サブ電極とは、それぞれ前記第１サブ電極と前記第２サブ電極とに対向することを特徴とする。
【００２０】
請求項１４に記載の発明は、請求項５に記載の発明において、前記複数の電極セットはそれぞれ複数の第１放電部を有する第１サブ電極と、第２サブ電極と、第３サブ電極とを備え、前記第１サブ電極は前記第２サブ電極と前記第３サブ電極との間に位置し、前記複数の第１放電部は前記第２サブ電極及び前記第３サブ電極にそれぞれ対向し、前記第３サブ電極は前記第１サブ電極と前記第２サブ電極とに平行に配列されることを特徴とする。
【００２１】
請求項１５に記載の発明は、請求項１４に記載の発明において、複数それぞれ複数の第２放電部を有する前記複数の電極セットの前記第２サブ電極と複数それぞれ複数の第３放電部を有する前記複数の電極セットの前記第３サブ電極とは、それぞれ前記第１サブ電極に対向することを特徴とする。
【００２２】
請求項１６に記載の発明は、請求項５に記載の発明において、前記放電ガスは、キセノン、ネオン、アルゴン及びそれらの組み合わせからいずれか一つ選択されることを特徴とする。
【発明の効果】
【００２３】
上記構成によれば、本発明は、２つのプラズマ平面ランプを使用して積み重ねることによって、下層のプラズマ平面ランプから放出される光線が上層のプラズマ平面ランプの暗領域を透過することができ、均一な高い輝度を有する平面光源を提供することができる。
【００２４】
上記構成によれば、本発明の第１プラズマ平面ランプ及び第２プラズマ平面ランプに必要とする駆動電流が比較的小さいので、本発明の平面光源の使用寿命を長くすることができる。
【発明を実施するための最良の形態】
【００２５】
以下、本発明を実施するための最良の形態を図面に基づいて説明する。
＜第１実施例＞
【００２６】
図２Ａは、本発明の第１実施例に係る平面光源を示す要部断面図である。図２Ｂは、図２Ａ中の第１プラズマ平面ランプを示す要部平面図であり、図２Ｃは、図２Ａ中の第２プラズマ平面ランプを示す要部平面図である。
【００２７】
図２Ａにおいて、この実施例の平面光源１０は、第１プラズマ平面ランプ１１００と第２プラズマ平面ランプ１２００とを含む。第２プラズマ平面ランプ１２００が第１プラズマ平面ランプ１１００の上方に配置され、第１プラズマ平面ランプ１１００から放出される光線が第２プラズマ平面ランプ１２００の暗領域１２００ａを透過することができる。
【００２８】
図２Ａ及び図２Ｂにおいて、第１プラズマ平面ランプ１１００は、基板１１１０と複数の電極セット１１２０と基板１１３０とフレーム１１４０と複数のスペーサー１１５０と蛍光パウダー１１６０とを含む。
【００２９】
これらの電極セット１１２０は、基板１１１０上に配置される。基板１１３０は、基板１１１０上方に配置される。フレーム１１４０は、基板１１１０及び基板１１３０間に配置される。基板１１１０と基板１１３０とフレーム１１４０とが１つの放電チャンバーを区画する。放電チャンバー内には放電ガスが充填されており、この放電ガスをキセノン、ネオン、アルゴンまたはそれらの組合せガスのいずれかの一つから選択することができる。
【００３０】
複数のスペーサー１１５０は、基板１１１０と基板１１３０との間に配置され、基板１１１０と基板１１３０とを隔離する。また複数のスペーサー１１５０は複数の電極セット１１２０を分離することもできる。複数のスペーサー１１５０の形状をストリップ状、柱状またはその他の形状とすることができる。
【００３１】
また、蛍光パウダー１１６０は、基板１１１０及び基板１１３０上に設けることができる。例えば、蛍光パウダー１１６０は、基板１１１０あるいは基板１１３０の明領域１１１０ａならびに暗領域１１１０ｂに対応する位置に設けることもでき、蛍光パウダー１１６０を基板１１１０及び／または基板１１３０の明領域１１１０ａに対応する位置だけに設けることもできる。
【００３２】
詳細に言えば、各電極セット１１２０は、サブ電極１１２２、１１２４、１１２６、１１２８を含み、そのうち、サブ電極１１２２、１１２４、１１２６、１１２８を平行に配列することができる。また、サブ電極１１２２、１１２４、１１２６、１１２８上をそれぞれ誘電層１１２０ａが被覆する。
【００３３】
全てのサブ電極１１２２、１２２４が相互に電気的に連結される。また全てのサブ電極１１２６、１２２８が相互に電気的に連結される。さらに、サブ電極１１２６が複数の放電部１１２６ａを備えて、それがサブ電極１１２２にそれぞれ対向している。サブ電極１１２８が複数の放電部１１２８ａを備えて、それがサブ電極１１２４にそれぞれ対向している。
【００３４】
従って、複数の放電部１１２６ａとサブ電極１１２２との間の領域及び複数の放電部１１２８ａとサブ電極１１２４との間の領域を複数の三角形の明領域１１１０ａと三角形の暗領域１１００ｂとに区画することができる。ここで、明領域１１１０ａ及び暗領域１１００ｂの形状を三角形に限定するものではなく、明領域１１１０ａ及び暗領域１１００ｂの形状は、各電極セット１１２０中の電極パターンによって決まることが可能である。または、本実施例のサブ電極１１２２、１２２４を一体成型することもできる。
【００３５】
図２Ａ及び図２Ｃにおいて、第２プラズマ平面ランプ１２００は、第１プラズマ平面ランプ１１００に類似して、基板１１３０と複数の電極セット１２２０と基板１２３０とフレーム１２４０と複数の電極セットのスペーサー１２４０と蛍光パウダー１２６０とを含む。
【００３６】
複数の電極セット１２２０が基板１１３０上に配置され、基板１１３０上方には基板１２３０が配置される。フレーム１２４０が基板１１３０及び基板１２３０間に配置される。基板１１３０と基板１２３０とフレーム１２４０とが１つの放電チャンバーを区画する。放電チャンバー内には放電ガスを充填している。
【００３７】
複数のスペーサー１２５０が基板１１３０と基板１２３０との間に配置され、基板１１３０と基板１２３０とを隔離する。また複数のスペーサー１２５０は複数の電極セット１２２０を隔離することもできる。複数のスペーサー１２５０の形状をスリップ状、柱状またはその他の形状にすることができる。
【００３８】
基板１１３０は、第１プラズマ平面ランプ１１００の一部分であるだけでなく、第２プラズマ平面ランプ１２００の一部分でもある。すなわち、第１プラズマ平面ランプ１１００と第２プラズマ平面ランプ１２００とは基板１１３０を共用しているが、第１プラズマ平面ランプ１１００と第２プラズマ平面ランプ１２００とをそれぞれ独立させることもできる。
【００３９】
各電極セット１２２０は、平行に配列しているサブ電極１２２２、１２２４、１２２６を含んでいる。また、サブ電極１２２２がサブ電極１２２４、１２２６にそれぞれ対向している複数の放電部１２２２ａを備えている。従って、外観から見ると、第２プラズマ平面ランプ１２００が複数の三角形の明領域１２００ａと三角形の暗領域１２００ｂとを備えている。さらに、蛍光パウダー１２６０が明領域１２００ａに対応する基板１１３０及び／または基板１２３０上に設けられているが、蛍光パウダー１２６０は、基板１１３０または基板１２３０の暗領域１２００ｂに同時に設けることもできる。
【００４０】
本実施例には、第１プラズマ平面ランプ１１００の複数の明領域１２００ａの位置と第２プラズマ平面ランプ１２００の複数の暗領域１２００ｂの位置とは、重なり合うことができるので、第１プラズマ平面ランプ１１００の複数の明領域１２００ａから放出される光線が第２プラズマ平面ランプ１２００の暗領域１２００ｂを透過する。すなわち、本実施例の平面光源１０は、均一及び比較的に高輝度の面光源を提供ことができる。また、同一な輝度及び均一度の要求により、第１プラズマ平面ランプ１１００及び第２プラズマ平面ランプ１２００に必要とする駆動電流が比較的小さいため、本実施例の平面光源１０の使用寿命は比較的に長くすることができる。
＜第２実施例＞
【００４１】
図３Ａは、本発明の第２実施例に係る第１プラズマ平面ランプを示す要部平面図であり、図３Ｂは、第２実施例に係る第２プラズマ平面ランプを示す要部平面図である。
【００４２】
図３Ａにおいて、本実施例は、第１実施例と類似しており、その異なる部分は、各電極セット２１２０が平行に配列されるサブ電極２１２２、２１２４、２１２６、２１２８を含んでいることである。
【００４３】
サブ電極２１２６と電極２１２２は各々複数の放電部２１２６ａと複数の放電部２１２２ａとを備える。複数の放電部２１２６ａと複数の放電部２１２２ａとが互いに対向している。すなわち、サブ電極２１２６と２１２２との間の領域が複数の矩形の明領域２１００ａ及び複数の矩形の暗領域２１００ｂに区画される。
【００４４】
同様に、サブ電極２１２４とサブ電極２１２８は各々複数の放電部２１２４ａと放電部２１２８ａとを備える。複数の放電部２１２４ａと複数の放電部２１２８ａとは互いに対向している。サブ電極２１２４と２１２８との間の領域が複数の矩形の明領域２１００ａ及び複数の矩形の暗領域２１００ｂに区画される。
【００４５】
また、サブ電極２１２２及び２１２４を一体成型することもできる（下記のサブ電極２２２２に類似している）。
【００４６】
図３Ｂにおいて、各電極セット２２２０が平行に配列されるサブ電極２２２２、２２２４、２２２６を含んでいる。サブ電極２２２２がサブ電極２２２４、２２２６に対向している複数の放電部２２２２ａを備えている。また、サブ電極２２２４及びサブ電極２２２６も各々複数の放電部２２２４ａ及び複数の放電部２２２６ａを備えており、そのうち、一部の放電部２２２２ａと放電部２２２４ａとが互いに対向し、その他の部分の放電部２２２２ａと放電部２２２４ａとが互いに対向している。
【００４７】
従って、サブ電極２２２６と２２２２との間の領域及びサブ電極２２２４と２２２２との間の領域が複数の矩形の明領域２２００ａ及び複数の矩形の暗領域２２００ｂに区画される。複数の矩形の暗領域２２００ｂと複数の矩形の明領域２１００ａとの位置が重なり合うので、下方の第１プラズマ平面ランプの明領域２１００ａから放出される光線が第２プラズマ平面ランプの暗領域２２００ｂを透過することができるため、均一な面光源を提供することは可能である。
【００４８】
以上のごとく、本発明を好適な実施例により開示したが、これらは決して本発明を限定するものではなく、当業者なら誰でも、本発明の精神と領域を脱しない範囲で、適当な変更や修正を加えることができ、従って、本発明の保護範囲は、特許請求の範囲で指定した内容及びそれと均等なものを包含する基準とする。        
【図面の簡単な説明】
【００４９】
【図１Ａ】従来の平面光源を示す要部断面図である。
【図１Ｂ】従来の平面光源を示す要部平面図である。
【図２Ａ】本発明の第１実施例に係る平面光源を示す要部断面図である。
【図２Ｂ】図２Ａ中の第１プラズマ平面ランプを示す要部平面図である。
【図２Ｃ】図２Ａ中の第２プラズマ平面ランプを示す要部平面図である。
【図３Ａ】本発明の第２実施例に係る第１プラズマ平面ランプを示す要部平面図である。
【図３Ｂ】本発明の第２実施例に係る第２プラズマ平面ランプを示す要部平面図である。
【符号の説明】
【００５０】
１０平面光源
１００従来の平面光源
１００ａ、１１００ａ、１２００ａ、２１００ａ、２２００ａ明領域
１００ｂ、１１００ｂ、１２００ｂ、２１００ｂ、２２００ｂ暗領域
１１０、１３０、１１１０、１１３０、１２３０基板
１２０、１１２０、１２２０、２１２０、２２２０電極セット
１２０ａ、１１２０ａ誘電層
１２２、１２４、１２６、１１２２、１１２４、１１２６、１１２８、１２２２、１２２４、１２２６、２１２２、２１２４、２１２６、２１２８、２２２２、２２２４、２２２６サブ電極
１２２ａ、１２２６ａ、１１２８ａ、１２２２ａ、２１２２ａ、２１２４ａ、２１２６ａ、２１２８ａ、２２２２ａ、２２２４ａ、２２２６ａ放電部
１４０、１１４０、１２４０フレーム
１５０、１１５０、１２５０スペーサー
１６０、１１６０、１２６０蛍光パウダー
１１００第１プラズマ平面ランプ
１２００第２プラズマ平面ランプ
【図１Ａ】
2007220643.tif 000003
【図１Ｂ】
2007220643.tif 000004
【図２Ａ】
2007220643.tif 000005
【図２Ｂ】
2007220643.tif 000006
【図２Ｃ】
2007220643.tif 000007
【図３Ａ】
2007220643.tif 000008
【図３Ｂ】
2007220643.tif 000009